(57)【特許請求の範囲】
【請求項１】
球が落下するように上下方向に形成される球通路と、その球通路の途上に設けられた開閉口の上端開口部の一側部において当該球通路の通路方向に対して直交する方向にスライド動作することによって前記開閉口を開閉するスライド部材と、を備え、
前記スライド部材の先端部には、当該先端部の下側に前記球通路の通路方向に対して傾斜状をなす球噛み回避面が形成されることにより球に接触可能な球接触点が形成され、
前記スライド部材は、閉じ方向のスライド動作したときに、前記球接触点が該球接触点に対向する前記開閉口の前記上端開口部の反対側球接触点よりも前記球通路の通路方向に対し上方に位置する位置関係となるようにスライド可能に組み付けられると共に、前記球噛み回避面が前記開閉口の前記上端開口部に位置する球の外周面に傾斜状で当接することで球噛みを回避するように斜め上方向に傾動可能に設けられ、
前記スライド部材の閉じ方向のスライド動作時において、前記球接触点と前記反対側球接触点との間に球が挟まれようとした場合に、前記スライド部材が前記球噛み回避面を球の外周面に当接したまま球噛みを回避するように斜め上方向に傾動変位することを特徴とする遊技機。
【発明の詳細な説明】
【０００１】
【発明の属する技術分野】
この発明はパチンコ機のような弾球遊技機とも呼ばれている遊技機に関する。
【０００２】
【従来の技術】
パチンコ機のような弾球遊技機において、その遊技盤の盤面（前面）の遊技領域には各種形式の入賞装置、役物装置等の入球装置が設けられている。この種の入球装置において、球（パチンコ球）が通過する球通路の開閉口に対し、スライド部材を配設し、そのスライド部材をスライド動作させることで開閉口を開閉するように構成したものが知られている。
【０００３】
【発明が解決しようとする課題】
ところで、スライド部材をスライド動作させることで開閉口を開閉するように構成すると、スライド部材の閉じ方向のスライド動作時において、そのスライド部材の先端部が球に当たると、そのスライド部材の先端部の球接触点と、開閉口の反対側球接触点との間に球が挟み込まれ、球噛みが発生する場合があった。この場合、遊技ホールの店員は、ガラス扉を開いて球噛みしている球を取り除くことによって対処しなければならない。
【０００４】
この発明の目的は、前記問題点に鑑み、スライド部材の閉じ方向のスライド動作による球噛みを防止することができる遊技機を提供することである。
【０００５】
【課題を解決するための手段】
前記目的を達成するために、第１の発明に係る遊技機は、請求項１に記載のとおりの構成を要旨とするもので、球が落下するように上下方向に形成される球通路と、その球通路の途上に設けられた開閉口の上端開口部の一側部において当該球通路の通路方向に対して直交する方向にスライド動作することによって前記開閉口を開閉するスライド部材と、を備え、前記スライド部材の先端部には、当該先端部の下側に前記球通路の通路方向に対して傾斜状をなす球噛み回避面が形成されることにより球に接触可能な球接触点が形成され、前記スライド部材は、閉じ方向のスライド動作したときに、前記球接触点が該球接触点に対向する前記開閉口の前記上端開口部の反対側球接触点よりも前記球通路の通路方向に対し上方に位置する位置関係となるようにスライド可能に組み付けられると共に、前記球噛み回避面が前記開閉口の前記上端開口部に位置する球の外周面に傾斜状で当接することで球噛みを回避するように斜め上方向に傾動可能に設けられ、前記スライド部材の閉じ方向のスライド動作時において、前記球接触点と前記反対側球接触点との間に球が挟まれようとした場合に、前記スライド部材が前記球噛み回避面を球の外周面に当接したまま球噛みを回避するように斜め上方向に傾動変位することを特徴とする。
【０００６】
したがって、スライド部材の先端部の球接触点が、その球接触点と対向する開閉口側の反対側球接触点よりも球通路の通路方向に対し上方に位置する位置関係となっているため、スライド部材の閉じ方向のスライド動作時において、スライド部材の先端部の球接触点と反対側球接触点との間に球が挟み込まれて球噛みが発生することが軽減される。
【０００７】
また、スライド部材の先端部には、球噛みを回避するための傾斜状の球噛み回避面が形成されている。したがって、スライド部材の閉じ方向のスライド動作時において、スライド部材の先端部の球接触点と反対側に位置する開閉口の球接触点との間に球が挟み込まれようとした場合、スライド部材先端部の球噛み回避面によって球噛みがより一層軽減される。
【０００８】
また、球噛み回避面は、スライド部材の先端部の厚さ方向の一方に形成されている。したがって、スライド部材の閉じ方向のスライド動作時において、スライド部材の先端部の球接触点と反対側に位置する開閉口の球接触点との間に球が挟み込まれようとした場合、スライド部材の先端部の厚さ方向の一方に形成された球噛み回避面によって球噛みがより一層軽減される。
【０００９】
更に、スライド部材は、閉じ方向のスライド動作時において球噛み回避面が開閉口の上端開口部に位置する球に当たることで球噛みを回避するように斜め上方向に傾動可能に設けられている。したがって、スライド部材の閉じ方向のスライド動作時において、スライド部材の先端部の球接触点と反対側球接触点との間に球が挟み込まれようとした場合、スライド部材が球噛みを回避するように斜め上方向に傾動変位することで、球噛み防止に効果が大きく、球噛みが良好に回避される。
【００１０】
【００１１】
【発明の実施の形態】
この発明の実施の形態を図面にしたがって説明する。弾球遊技機としてのパチンコ機、例えば、第３種パチンコ機（権利ものと呼ばれることもある）の遊技盤を正面（前面）で表した図１において、遊技盤１０の盤面（前面）の周縁部には、外レール１２と内レール１３とを備えた案内レール１１が装着されている。この案内レール１１の内側には、遊技領域１５が区画形成されるとともに、外レール１２と内レール１３との間には、図示しない球発射装置から発射された球（パチンコ球）を遊技領域１５の上部に案内する球発射通路１４が形成されている。
【００１２】
遊技盤１０の盤面には、その遊技領域１５の略中央部において、抽選図柄の表示面２２を前面に有する図柄表示装置２０と、入球装置としての第３種権利発生装置５１とが上下に所定の間隔を隔ててそれぞれ装着されている。また、遊技盤１０の遊技領域１５には、図柄表示装置２０の上方の略中央部と左右両側部に位置して一般入賞器２６、２７、２８がそれぞれ配設され、第３種権利発生装置５１の下方でその遊技領域１５の最下端に位置してアウト口２９が配設されている。
【００１３】
また、遊技盤１０の盤面には、図柄表示装置２０の片側下方（図１に向かって右側斜め下方）に位置して第３種始動装置３０が装着されている。この第３種始動装置３０は、単数又は複数の構成部品によって構成された始動器本体３１において遊技盤１０の前面にビス等によって装着されている。始動器本体３１には、遊技領域１５を流れる球が流入可能な横向（図に向かって右向き）に開口する入球口３２を有する始動用球通路が形成されている。その始動用球通路には始動用球検出器が配設されている。
【００１４】
また、遊技盤１０の盤面には、第３種始動装置３０の直下に位置して大入賞口装置４０が装着されている。この大入賞口装置４０は、単数又は複数の構成部品によって構成された本体部４１において遊技盤１０の前面にビス等によって装着されている。本体部４１には、大入賞口４３とその大入賞口４３を開閉する開閉扉４２とがそれぞれ設けられている。また、遊技盤１０の盤面には、第３種権利発生装置５１の片側下方（図１に向かって左側斜め下方）に位置して作動用入賞器２５が装着されている。この作動用入賞器２５には、球が流入したときに、その球を検出してその信号をパチンコ機の所定位置に設置された図示しない主制御装置（主制御基板と呼ばれている）に伝達する球検出器が装着されている。
【００１５】
図１と図２に示すように、入球装置としての第３種権利発生装置５１の本体構成部材５２は単数又は複数の構成部品、例えば、取付基板５３と前面部材５４とを主体として構成されている。そして、本体構成部材５２は、その取付基板５３において遊技盤１０の盤面にビス、釘等によって装着されている。また、本体構成部材５２の取付基板５３と前面部材５４との間には、上部に遊技領域１５を流れる球が流入可能な入球口５６を構成する一対の開閉部材５５が、軸５５ａを中心としかつソレノイド等の電動アクチュエータを駆動源として開閉可能に装着されている。これら一対の開閉部材５５は、作動用入賞器２５の球検出器によって球が検出されることで、所定時間（例えば、数秒）だけ開放して閉じるようになっている。
【００１６】
また、取付基板５３と前面部材５４との間には入球口５６の直下において、入球口５６を通過した球Ｂが流れる球通路６１が形成されている。球通路６１には、その上部に球Ｂの通過を検出するための球通過孔を有する近接スイッチ等よりなる入賞用球検出器５７が配接されている。さらに、入賞用球検出器５７の直下に位置して開閉口６５（ゲート口とも呼ばれる）が形成されている。この開閉口６５には球Ｂの通過を検出するための球通過孔を有する近接スイッチ等よりなる始動用球検出器６８が配設されている。そして、球Ｂが開閉口６５の始動用球検出器６８を通過することによって、図柄表示装置２０の表示面２２には抽選図柄が変動表示されるようになっている。
【００１７】
図２に示すように、本体構成部材５２の下部には、開閉口６５の直下に開口部を有する回転体収納室７１が形成されている。この回転体収納室７１には球Ｂを受けて保持する球受け部７３を外周面の一部に有する回転体７２が正逆方向に回転可能に設けられている。また、回転体収納室７１の奥側壁には、特定領域７４に通じる流入口７５と、非特定領域７７に通じる流入口７８とがそれぞれ形成され、これら特定領域７４と非特定領域７７には、近接スイッチ等よりなる特定領域検出器と非特定領域検出器（共に図示しない）とがそれぞれ配接されている。
【００１８】
また、取付基板５３と前面部材５４との間において、開閉口６５の上端開口部の両側部のうち、少なくとも一側部には、球通路６１に交差する方向のスライド動作によって開閉口６５を開閉可能なスライド部材８１が装着されている。この実施の形態において、開閉口６５の上端開口部の片側（図に向かって右側）に１つのスライド部材８１が球通路６１に略直交する左右方向にスライド動作可能に装着されている。また、取付基板５３には、開閉口６５の上端開口部の他側近傍に位置して球Ｂを排出する排出口６２が形成されている。
【００１９】
図４と図５に示すように、スライド部材８１は、スライド案内部６３と第１、第２の両案内ローラ８２、８４によって左右方向にスライド案内されながら、電動アクチュエータとしてのソレノイド９０を駆動源として開閉口６５の一側から他側（図４に向かって右側から左側）にスライド動作され、開閉口６５を開閉するようになっている。また、スライド部材８１の上面側には、同スライド部材８１が閉じたときに球通路６１を流下する球Ｂを排出口６２に導く球誘導面８６が形成されている。
【００２０】
図６に示すように、スライド部材８１は、同スライド部材８１の先端部（閉じ方向に前進したときに前端に位置する部分）でかつ球通路６１を落下して通過する球Ｂに接触可能な球接触点８７と、その球接触点８７に対向する開閉口６５の上端開口部の反対側球接触点６６とが球通路６１の通路方向に対し上方に所定量Ｈだけ変位した位置で左右方向にスライド可能に組み付けられている。また、スライド部材８１の先端部の下側面には、球噛みを回避するために球通路６１の通路方向に対し傾斜状をなす、この実施の形態では下向き傾斜状をなす球噛み回避面８８が形成されている。また、スライド部材８１は、スライド動作時において球Ｂに当たることで球噛みを回避する方向（例えば上方）に移動可能に設けられている。
【００２１】
すなわち、この実施の形態において、図７に示すように、本体構成部材５２（例えば取付基板５３）の所定位置には左右方向に長い長孔状のスライド案内部６３が貫設されている。一方、スライド部材８１の背面側には、同スライド部材８１が閉じ方向に前進したときに後側に位置する部分において、大径の第１案内ローラ８２が、前側に位置する部分に小径の第２案内ローラ８４がそれぞれの軸を中心として回転可能に装着されている。また、第１案内ローラ８２は、スライド案内部６３の幅（孔幅）寸法と略同じ直径寸法をもち、スライド案内部６３に沿って回転しながら左右方向に移動するようになっている。
【００２２】
また、第２案内ローラ８４は、スライド案内部６３の幅（孔幅）寸法よりも適宜に小さい直径寸法をもち、スライド案内部６３の下側部に沿って回転しながら左右方向に移動するとともに、図７に示すように、スライド案内部６３の上側部に当接する位置まで移動可能となっている。そして、スライド部材８１は、閉じ方向のスライド動作時において球Ｂに当たることで、球噛みを回避する方向の斜め上方に第１案内ローラ８２を中心して回動可能となっている。
【００２３】
また、図４と図５に示すように、スライド部材８１は、その第１案内ローラ８２の軸の延長軸部において、作動アーム９３を介してソレノイド９０の作動軸９１に連結されている。すなわち、遊技盤１０の後面（裏面）側には、ソレノイド９０が横向きに装着される一方、所定長さの作動アーム９３がその一端部（上端部）においてピン９４を支点として回動に装着されている。この作動アーム９３の長手方向の中央部から一端部寄り部分において、ソレノイド９０の作動軸９１の先端部がピン９５と長孔９６によって連結されている。さらに、作動アーム９３の他端部（下端部）が長孔９５とピン８３（第１案内ローラ８２の軸の延長軸線上に一体に設けられている）によって連結されている。
【００２４】
そして、開閉口６５の始動用球検出器６８による球Ｂの検出に基づいてソレノイド９０が励磁されることで、作動アーム９３がピン９４を支点として図４に向かって時計回り方向に回動される。これによってスライド部材８１は、その第１案内ローラ８２と第２案内ローラ８４とがスライド案内部６３に案内されながら閉じ位置まで前進されるようになっている。また、ソレノイド９０が励磁されて所定時間（例えば数秒）経過後、ソレノイド９０が非励磁となることで、スライド部材８１は、その第１案内ローラ８２と第２案内ローラ８４とがスライド案内部６３に案内されながら元の開き位置まで後退されるようになっている。
【００２５】
この実施の形態に係る遊技機としてのパチンコ機は上述したように構成される。したがって、パチンコ遊技の際、図示しない球発射装置から球発射通路１４に発射された球Ｂ（パチンコ球）は、遊技領域１５の上部に打ち出され、多数の釘や風車器等に当たって遊技領域１５の下部に向けて流れる。遊技領域１５に打ち出された球Ｂのうち、一部の球Ｂは、一般入賞器２６、２７、２８、作動用入賞器２５等の入球口に流入する。また、これら入球口に流入しなかった球Ｂは遊技領域１５の下部のアウト口２９に流入し、機外に排出される。
【００２６】
作動用入賞器２５の球Ｂが流入すると、その球Ｂが作動用入賞器２５の球検出器（図示しない）によって検出される。すると、その球検出器の検出信号が図示しない主制御装置（主制御基板）に伝達される。これによって、一対の開閉部材５５が所定時間（例えば、数秒）だけ開放して閉じる。図２に示すように、一対の開閉部材５５が開放され入球口５６が拡開されることで、遊技盤１０の遊技領域１５を流れる球Ｂが入球口５６に流入し易くなる。入球口５６に流入した球Ｂは、入賞用球検出器５７の球検出孔を通過してその直下に位置する開閉口６５に流入する。開閉口６５に流入した球Ｂは始動用球検出器６８の球検出孔を通過してその直下に位置する回転体７２の球受部７３に受けられる。
【００２７】
始動用球検出器６８によって球Ｂの通過が検出されると、その検出信号が主制御装置（主制御基板）に伝達される。これによって、図柄表示装置２０が作動され、その表示面２２には抽選図柄が変動し、設定時間後停止する。そして、表示面２２には前記主制御装置から出力される信号に基づく抽選図柄が表示される。表示面２２に表示された抽選図柄が「大当たり図柄」、例えば、「３・３・３」、「７・７・７」等となって停止した場合、これに基づいて主制御装置から出力される信号によって回転体７２の駆動モータ（図示しない）が作動し、回転体７２が所定方向（図２に向かって時計回り方向）に回転した後、元の位置まで反転されて停止する。
【００２８】
回転体７２の所定方向の回転によって回転体７２の球受部７３の球Ｂが特定領域７４の流入口７５に放出される。そして、球Ｂが特定領域検出器によって検出され、その信号が主制御装置に伝達されることで、「大当たりの権利」が発生する。また、表示面２２に表示された抽選図柄が「大当たり図柄」以外の図柄となって停止した場合、これに基づいて主制御装置から出力される信号によって回転体７２が前記とは反対方向（図２に向かって反時計回り方向）に回転した後、元の位置まで反転されて停止する。これによって、回転体７２の球受部７３の球Ｂが非特定領域７７の流入口７８に放出されるため、「大当たりの権利」は発生しない。
【００２９】
前記したように、「大当たりの権利」が発生した後、遊技領域１５を流れる球Ｂが第３種始動装置３０の入球口３２に流入すると、その球Ｂが球検出器（図示しない）によって検出される。すると、その検出信号が主制御装置（主制御基板）に伝達される。これに基づいて主制御装置から出力される信号が大入賞口装置４０に伝達され、その開閉扉４２によって大入賞口４３が開かれる。大入賞口４３に球Ｂが最大で１０個流入するか、あるいは、１０秒経過すると、開閉扉４２によって大入賞口４３が閉じられ、ここで大当たり遊技の１ラウンドが終了する。開閉扉４２によって大入賞口４３が一旦閉じられた後、再び、第３種始動装置３０の入球口３２に流入した球Ｂが球検出器（図示しない）によって検出されると、開閉扉４２によって大入賞口４３が開かれる。このように大当たり遊技が、例えば、最大で１６ラウンド行われて大当たり遊技が終了する。
【００３０】
さて、入球口５６及び入賞用球検出器５７の球検出孔を通過した球Ｂが開閉口６５に流入し、始動用球検出器６８によって検出されると、その検出信号が主制御装置に伝達される。これに基づいて主制御装置から出力される信号によってソレノイド９０が励磁される。すると、作動アーム９３がピン９４を支点として図４に向かって時計回り方向に回動され、スライド部材８１は、その第１案内ローラ８２と第２案内ローラ８４とがスライド案内部６３に案内されながら閉じ位置に向けて前進される（図５参照）。
【００３１】
図４に示すように、スライド部材８１の閉じ方向のスライド動作時において、その先端部の球接触点８７が球Ｂに接触する場合がある。この際、スライド部材８１の先端部の球接触点８７が、開閉口６５の反対側球接触点６６に対し球通路６１の通路方向に対し所定量Ｈだけ変位している。このため、スライド部材８１の先端部の球接触点８７と反対側球接触点６６との間に球Ｂが挟み込まれて球噛みが発生することが軽減される。また、スライド部材８１の先端部には、球噛みを回避するための傾斜状の球噛み回避面８８が形成されているため、スライド部材８１の先端部の球接触点８７と反対側球接触点６６との間に球Ｂが挟み込まれようとした場合、スライド部材先端部の球噛み回避面８８によって球噛みがより一層軽減される。
【００３２】
また、スライド部材８１は、スライド動作時に球Ｂに当たることで球噛みを回避する方向に移動可能に設けられている。すなわち、この実施の形態において、第１案内ローラ８２は、スライド案内部６３の幅（孔幅）寸法と略同じ直径寸法をもち、第２案内ローラ８４は、スライド案内部６３の幅（孔幅）寸法よりも適宜に小さい直径寸法をもち、スライド案内部６３の幅寸法内において移動可能となっている。このため、図６に示すように、スライド部材８１の閉じ方向のスライド動作時において、その先端部の球接触点８７が球Ｂに接触する際、万一、スライド部材８１の球接触点８７と反対側球接触点６６とを結ぶ線上に球Ｂの中心点が存在し、スライド部材８１の球接触点８７と反対側球接触点６６との間に球Ｂが挟まれようとすると、図７に示すように、スライド部材８１は、球噛みを回避する方向の斜め上方に第１案内ローラ８２を中心して回動する。これによって、スライド部材８１の球接触点８７と反対側球接触点６６との間に球Ｂが挟まれ球噛みが発生する不具合を確実に防止することができる。そして、スライド部材８１は、開閉口６５を閉じる閉じ位置まで前進し、その閉じ位置において所定時間だけ停止する。
【００３３】
また、スライド部材８１によって開閉口６５が閉じられると、その後、入球口５６に流入して入賞用球検出器５７の球検出孔を通過した球Ｂは、スライド部材８１の球誘導面８６に誘導されて排出口６２に流れ排出される。また、スライド部材８１によって開閉口６５が閉じられる間において、始動用球検出器６８の球検出孔を複数（例えば、２個）の球Ｂが連続的に通過すると、最初の球Ｂのみが回転体７２の球受部７３に受けられ、後続の球Ｂは、始動用球検出器６８と回転体７２の球受部７３との間に位置して設けられた排出口９８に流れて排出される。また、ソレノイド９０が励磁されて所定時間（例えば数秒）経過後、ソレノイド９０が非励磁となることで、スライド部材８１は、その第１案内ローラ８２と第２案内ローラ８４とがスライド案内部６３に案内されながら元の開き位置まで後退される。
【００３４】
なお、この発明は前記実施の形態に限定するものではない。例えば、前記実施の形態においては、入球装置が第３種権利発生装置である場合を例示したが第１種パチンコ機、第２種パチンコ機等の入賞装置においても採用することが可能である。また、前記実施の形態においては、開閉口６５の上端開口部の両側部のうち、少なくとも一側部には、球通路６１に交差する方向のスライド動作によって開閉口６５を開閉可能なスライド部材８１が装着されている場合を例示したが、開閉口の下端開口部の両側部のうち、少なくとも一側部に開閉口を開閉可能なスライド部材が装着されてもよい。この場合、スライド部材の先端部でかつ球通路を落下して通過する球に接触可能な球接触点と、その球接触点に対向する開閉口の下端開口部の反対側球接触点とが球通路の通路方向に対し下方に所定量だけ変位した位置で左右方向にスライド可能に組み付けられる。また、前記実施の形態においては、スライド部材８１の上面側には、同スライド部材８１が閉じたときに球通路６１を流下する球Ｂを排出口６２に導く球誘導面８６が形成され、スライド部材８１の先端部の下面側には、球噛みを回避するための下向き傾斜状の球噛み回避面８８が形成されている場合を例示したが、球Ｂを排出するための排出口６２がない場合には、球誘導面８６を設ける必要がない。また、スライド部材の先端部の厚さ方向両側（上下両面）部のうち、片側又は両側（少なくとも一方）に球噛み回避面を形成してもよい。また、前記実施の形態においては、開閉口６５の片側に１つのスライド部材８１が球通路６１に略直交する左右方向にスライド動作可能に装着される場合を例示したが、これに限るものではなく、一対のスライド部材によって開閉口を開閉可能に構成してもよい。この場合、一方のスライド部材の先端部の球接触点に対し、他方のスライド部材の先端部が反対側球接触点となる。
【００３５】
【発明の効果】
以上述べたように、この発明によれば、スライド部材の先端部の球接触点が、反対側球接触点よりも球通路の通路方向に対し上方に位置する位置関係となっているため、スライド部材の球接触点と反対側球接触点との間に球が噛み込む不具合を防止することができる。
【図面の簡単な説明】
【図１】  この発明の実施の形態に係る開閉口を開閉するスライド部材が装着された第３種権利発生装置を備えたパチンコ機の遊技盤を示す正面図である。
【図２】  同じく第３種権利発生装置のスライド部材が開き位置にある状態を示す正面図である。
【図３】  同じく第３種権利発生装置のスライド部材が閉じ位置にある状態を示す正面図である。
【図４】  同じくスライド部材が開き位置にある状態を拡大して示す正面図である。
【図５】  同じくスライド部材が閉じ位置にある状態を拡大して示す正面図である。
【図６】  同じくスライド部材の球接触点と反対側球接触点との間に球が挟み込まれた瞬間の状態を示す説明図である。
【図７】  同じくスライド部材が球噛みを回避する方向に移動した状態を示す説明図である。
【符号の説明】
１０ 遊技盤
５１ 第３種権利発生装置（入球装置）
６１ 球通路
６３ スライド案内部
６５ 開閉口
６６ 反対側球接触点
８１ スライド部材
８２ 第１案内ローラ
８４ 第２案内ローラ
８７ 球接触点
８８ 球噛み回避面
９０ ソレノイド（電動アクチュエータ）
９３ 作動アーム
【図１】
0004292308.tif 000002
【図２】
0004292308.tif 000003
【図３】
0004292308.tif 000004
【図４】
0004292308.tif 000005
【図５】
0004292308.tif 000006
【図６】
0004292308.tif 000007
【図７】
0004292308.tif 000008